(57)【要約】【課題】複数の小容量の記録媒体に記録されたデータを容易な操作で大容量の記録媒体に記録できる技術の実現。【解決手段】第１の記録媒体に格納されたデータを再生する再生手段と、第１の記録媒体に格納されたデータを記憶する記憶手段と、前記記憶手段に記憶されたデータを第２の記録媒体に記録する記録手段と、複数の前記第１の記録媒体に記録されたデータを１つのグループとして管理するための管理情報に基づいて、前記グループの全データが前記記憶手段に記憶されているか否かを判別する判別手段と、前記グループの全データが前記記憶手段に記憶されている場合、当該グループの全データを前記記憶手段から読み出して前記第２の記録媒体に記録するよう前記記録手段を制御する制御手段と、を備える。【選択図】      図１
2007157256.tif 000002
【特許請求の範囲】
【請求項１】
第１の記録媒体に格納されたデータを再生する再生手段と、
第１の記録媒体に格納されたデータを記憶する記憶手段と、
前記記憶手段に記憶されたデータを第２の記録媒体に記録する記録手段と、
複数の前記第１の記録媒体に記録されたデータを１つのグループとして管理するための管理情報に基づいて、前記グループの全データが前記記憶手段に記憶されているか否かを判別する判別手段と、
前記グループの全データが前記記憶手段に記憶されている場合、当該グループの全データを前記記憶手段から読み出して前記第２の記録媒体に記録するよう前記記録手段を制御する制御手段と、を備えることを特徴とする記録再生装置。
【請求項２】
前記管理情報は前記グループのデータが記録された複数の前記第１の記録媒体のいずれかに記録されており、前記第１の記録媒体に格納されたデータと共に前記記憶媒体に記憶されることを特徴とする請求項１に記載の記録再生装置。
【請求項３】
前記第２の記録媒体は前記第１の記録媒体よりも記録容量が大きいことを特徴とする請求項１に記載の記録再生装置。
【請求項４】
前記制御手段は、前記判別手段が前記グループの一部のデータのみが前記記憶手段に記憶されていると判別した場合、前記記憶手段に記憶されているデータ以外のデータが記録された前記第１の記録媒体への交換を促す情報を表示手段に表示することを特徴とする請求項１に記載の記録再生装置。
【請求項５】
前記管理情報は、前記グループの複数のデータと、これらの各データが記録されている前記第１の記録媒体とを識別するためのメディア情報を含み、
前記制御手段は、前記メディア情報に基づいて前記記憶手段に記憶されているデータ以外のデータが記録された前記第１の記録媒体を特定することを特徴とする請求項１に記載の記録再生装置。
【請求項６】
データを入力する入力手段と、
前記データを第１の記録媒体に記録する記録手段と、
複数の前記第１の記録媒体に記録されたデータを、予め決められたデータ量を単位とする１つのグループとして管理するための管理情報を生成する管理情報生成手段と、
前記予め決められたデータ量と前記グループの全データ量との差を表示する表示手段と、を備える記録装置。
【請求項７】
前記予め決められたデータ量は、前記第１の記録媒体よりも記録容量が大きい第２の記録媒体の記録容量に対応したデータ量であることを特徴とする請求項６に記載の記録装置。
【請求項８】
前記記録手段は、前記管理情報を、前記グループのデータが記録された複数の第１の記録媒体のうちの何れかに記録することを特徴とする請求項６に記載の記録装置。
【請求項９】
前記グループの作成を指示する指示手段を備え、
前記管理情報生成手段は、前記指示手段の指示に応じて前記管理情報を生成することを特徴とする請求項６に記載の記録装置。
【請求項１０】
データを第１の記録媒体に記録する記録装置と、前記第１の記録媒体に記録されたデータを第２の記録媒体に記録する記録再生装置とを備える記録システムであって、
前記記録装置は、
データを入力する入力手段と、
前記データを前記第１の記録媒体に記録する第１の記録手段と、
複数の前記第１の記録媒体に記録されたデータを、予め決められたデータ量を単位とする１つのグループとして管理するための管理情報を生成する管理情報生成手段と、
前記予め決められたデータ量と前記グループの全データ量との差を表示する表示手段と、を備え、
前記記録再生装置は、
前記第１の記録媒体に記録されたデータを再生する再生手段と、
前記第１の記録媒体に記録されたデータを記憶する記憶手段と、
前記記憶手段に記憶されたデータを第２の記録媒体に記録する第２の記録手段と、
複数の前記第１の記録媒体に記録された管理情報に基づいて、前記グループの全データが前記記憶手段に記憶されているか否かを判別する判別手段と、
前記グループの全データが前記記憶手段に記憶されている場合、当該グループの全データを前記記憶手段から読み出して前記第２の記録媒体に記録するよう前記第２の記録手段を制御する制御手段と、を備えることを特徴とする記録システム。
【請求項１１】
第１の記録媒体に格納されたデータを再生する再生手段と、第１の記録媒体に格納されたデータを記憶する記憶手段と、を備える記録再生装置のデータ記録方法であって、
前記記憶手段に記憶されたデータを第２の記録媒体に記録する記録工程と、
複数の前記第１の記録媒体に記録されたデータを１つのグループとして管理するための管理情報に基づいて、前記グループの全データが前記記憶手段に記憶されているか否かを判別する判別工程と、
前記グループの全データが前記記憶手段に記憶されている場合、当該グループの全データを前記記憶手段から読み出して前記第２の記録媒体に記録するよう前記記録手段を制御する制御工程と、を備えることを特徴とする方法。
【請求項１２】
データを入力する入力手段と、前記データを第１の記録媒体に記録する記録手段と、を備える記録装置のデータ入力方法であって、
複数の前記第１の記録媒体に記録されたデータを、予め決められたデータ量を単位とする１つのグループとして管理するための管理情報を生成する管理情報生成工程と、
前記予め決められたデータ量と前記グループの全データ量との差を表示する工程と、を備える方法。
【請求項１３】
データを入力する入力手段と、前記データを第１の記録媒体に記録する第１の記録手段とを備える記録装置と、前記第１の記録媒体に格納されたデータを再生する再生手段と、前記第１の記録媒体に格納されたデータを記憶する記憶手段とを備える記録再生装置とにより構成される記録システムの制御方法であって、
前記記録装置は、
複数の前記第１の記録媒体に記録されたデータを、予め決められたデータ量を単位とする１つのグループとして管理するための管理情報を生成する管理情報生成工程と、
前記予め決められたデータ量と前記グループの全データ量との差を表示する工程と、を備え、
前記記録再生装置は、
前記記憶手段に記憶されたデータを第２の記録媒体に記録する第２の記録手段と、
複数の前記第１の記録媒体に記録された管理情報に基づいて、前記グループの全データが前記記憶手段に記憶されているか否かを判別する判別工程と、
前記グループの全データが前記記憶手段に記憶されている場合、当該グループの全データを前記記憶手段から読み出して前記第２の記録媒体に記録するよう前記第２の記録手段を制御する制御工程と、を備えることを特徴とする方法。
【請求項１４】
請求項１１乃至１３のいずれか１項に記載の方法をコンピュータに実行させるためのプログラム。
【請求項１５】
請求項１４に記載のプログラムを格納したことを特徴とするコンピュータ読み取り可能な記録媒体。
【発明の詳細な説明】
【技術分野】
【０００１】
本発明は、光ディスクやメモリカード等の記録媒体に記録されたデータの記録再生技術に関するものである。
【背景技術】
【０００２】
近年、光ディスクやメモリカード等の大容量の記録媒体を用いたビデオカメラが各種市販されている。ここで、記録媒体として、例えばＤＶＤ(Digital Versatile Disc)は、４．７ギガバイトの容量を持ち、ＭＰＥＧ２による動画像圧縮符号化処理技術が用いられている。ＭＰＥＧ２では、従来のＳ−ＶＨＳ程度の高画質映像を約２時間記録することが可能であり、その記録再生を行うＤＶＤレコーダがここ数年急速に普及している。
【０００３】
一方、ＤＶＤを記録媒体として用いた携帯用ビデオカメラも登場している。このビデオカメラは、前述の通り従来直径１２ｃｍにて４．７ギガバイトの容量を実現していたＤＶＤメディアではなく、互換を保ちつつ直径８ｃｍにて１．４ギガバイトの容量を持つＤＶＤメディアを採用する。これにより、従来のＤＶ方式のビデオカメラと変わらない携帯性の良さを実現している（例えば、特許文献１参照）。
【０００４】
上記直径８ｃｍのＤＶＤメディアは、前述のように１．４ギガバイトと容量が少ないため、一般的な記録レートである６メガビット／秒の記録条件では約３０分の記録しかできない。また、長時間モードとして３メガビット／秒のモードがあり、この条件では１時間の記録ができるが、画質が相当劣化してしまう。また、高画質モードの９メガビット／秒の条件では２０分の記録しかできない。このため、長時間撮影したい場合には、複数のメディアを使用しなければならない。
【０００５】
一方、現在は、前述のＤＶＤレコーダの普及により、８ｃｍＤＶＤより１２ｃｍＤＶＤの方が一般に流通している。この状況から、複数の８ｃｍＤＶＤに記録したコンテンツを１２ｃｍＤＶＤにダビングして保存するという使い方が主流になるものと想定される。
【特許文献１】特開２００３−２５７０２１号公報
【発明の開示】
【発明が解決しようとする課題】
【０００６】
しかしながら、ビデオカメラにおいて前述の８ｃｍメディアを複数枚用いてコンテンツを記録し、前述の１２ｃｍにダビングしようとした場合、非常に収まりが悪くなることが多々ある。そこで前述の１２ｃｍメディアに収まる容量を考慮して必要なコンテンツを集める編集作業が必要になるが、この編集作業は非常に手間を要するものである。特に、撮影されたオリジナル映像が複数枚のメディアに跨っている場合、メモ用紙等に夫々の記録時間を書き留める等して手計算で総時間を算出する必要があり、非常に手間である。
【０００７】
本発明は、上記課題に鑑みてなされたものであり、その目的は、複数の小容量の記録媒体に記録されたデータを容易な操作で大容量の記録媒体に記録できる技術を実現することである。
【課題を解決するための手段】
【０００８】
上記課題を解決し、目的を達成するために、本発明の記録再生装置は、第１の記録媒体に格納されたデータを再生する再生手段と、第１の記録媒体に格納されたデータを記憶する記憶手段と、前記記憶手段に記憶されたデータを第２の記録媒体に記録する記録手段と、複数の前記第１の記録媒体に記録されたデータを１つのグループとして管理するための管理情報に基づいて、前記グループの全データが前記記憶手段に記憶されているか否かを判別する判別手段と、前記グループの全データが前記記憶手段に記憶されている場合、当該グループの全データを前記記憶手段から読み出して前記第２の記録媒体に記録するよう前記記録手段を制御する制御手段と、を備える。
【０００９】
本発明の記録装置は、データを入力する入力手段と、前記データを第１の記録媒体に記録する記録手段と、複数の前記第１の記録媒体に記録されたデータを、予め決められたデータ量を単位とする１つのグループとして管理するための管理情報を生成する管理情報生成手段と、前記予め決められたデータ量と前記グループの全データ量との差を表示する表示手段と、を備える。
【００１０】
本発明の記録システムは、データを第１の記録媒体に記録する記録装置と、前記第１の記録媒体に記録されたデータを第２の記録媒体に記録する記録再生装置とを備える記録システムであって、前記記録装置は、データを入力する入力手段と、前記データを前記第１の記録媒体に記録する第１の記録手段と、複数の前記第１の記録媒体に記録されたデータを、予め決められたデータ量を単位とする１つのグループとして管理するための管理情報を生成する管理情報生成手段と、前記予め決められたデータ量と前記グループの全データ量との差を表示する表示手段と、を備え、前記記録再生装置は、前記第１の記録媒体に記録されたデータを再生する再生手段と、前記第１の記録媒体に記録されたデータを記憶する記憶手段と、前記記憶手段に記憶されたデータを第２の記録媒体に記録する第２の記録手段と、複数の前記第１の記録媒体に記録された管理情報に基づいて、前記グループの全データが前記記憶手段に記憶されているか否かを判別する判別手段と、前記グループの全データが前記記憶手段に記憶されている場合、当該グループの全データを前記記憶手段から読み出して前記第２の記録媒体に記録するよう前記第２の記録手段を制御する制御手段と、を備える。
【００１１】
本発明のデータ記録方法は、第１の記録媒体に格納されたデータを再生する再生手段と、第１の記録媒体に格納されたデータを記憶する記憶手段と、を備える記録再生装置のデータ記録方法であって、前記記憶手段に記憶されたデータを第２の記録媒体に記録する記録工程と、複数の前記第１の記録媒体に記録されたデータを１つのグループとして管理するための管理情報に基づいて、前記グループの全データが前記記憶手段に記憶されているか否かを判別する判別工程と、前記グループの全データが前記記憶手段に記憶されている場合、当該グループの全データを前記記憶手段から読み出して前記第２の記録媒体に記録するよう前記記録手段を制御する制御工程と、を備える。
【００１２】
本発明のデータ入力方法は、データを入力する入力手段と、前記データを第１の記録媒体に記録する記録手段と、を備える記録装置のデータ入力方法であって、複数の前記第１の記録媒体に記録されたデータを、予め決められたデータ量を単位とする１つのグループとして管理するための管理情報を生成する管理情報生成工程と、前記予め決められたデータ量と前記グループの全データ量との差を表示する工程と、を備える。
【００１３】
本発明の記録システムの制御方法は、データを入力する入力手段と、前記データを第１の記録媒体に記録する第１の記録手段とを備える記録装置と、前記第１の記録媒体に格納されたデータを再生する再生手段と、前記第１の記録媒体に格納されたデータを記憶する記憶手段とを備える記録再生装置とにより構成される記録システムの制御方法であって、前記記録装置は、複数の前記第１の記録媒体に記録されたデータを、予め決められたデータ量を単位とする１つのグループとして管理するための管理情報を生成する管理情報生成工程と、前記予め決められたデータ量と前記グループの全データ量との差を表示する工程と、を備え、前記記録再生装置は、前記記憶手段に記憶されたデータを第２の記録媒体に記録する第２の記録手段と、複数の前記第１の記録媒体に記録された管理情報に基づいて、前記グループの全データが前記記憶手段に記憶されているか否かを判別する判別工程と、前記グループの全データが前記記憶手段に記憶されている場合、当該グループの全データを前記記憶手段から読み出して前記第２の記録媒体に記録するよう前記第２の記録手段を制御する制御工程と、を備える。
【発明の効果】
【００１４】
本発明によれば、小容量の記録媒体しか扱えないビデオカメラ等で撮影したコンテンツを、コンテンツの抜けや編集等の手間を必要とせずに簡単な操作にて大容量の記録媒体に保存することができる。
【発明を実施するための最良の形態】
【００１５】
以下、本発明の実施形態について図面を参照して詳細に説明する。
【００１６】
なお、以下に説明する実施形態は、本発明の実現手段としての一例であり、本発明が適用される装置の構成や各種条件によって適宜修正又は変更されるべきものであり、本発明は以下の実施形態に限定されるものではない。
【００１７】
［第１の実施形態］
以下に、本発明に係る第１の実施形態の記録再生システムについて説明する。
【００１８】
本実施形態の記録再生システムは、後述するデジタルビデオカメラと据え置きビデオデッキとを備える。
【００１９】
図１は本実施形態のデジタルビデオカメラのブロック図である。
【００２０】
図１において、１０１は被写体を取り込む撮影レンズである。１０２は後述の撮像素子への光量を制御する絞りである。１０３は取り込んだ被写体を画像信号に変換する撮像素子である。１０４は上記画像信号をサンプルホールドし、適正な信号レベルにするＣＤＳ／ＡＧＣである。１０５は上記ＣＤＳ／ＡＧＣからの画像信号をＡ／Ｄ変換し、デジタル信号処理を行うデジタル信号処理回路である。
【００２１】
１０６はデジタル信号処理回路１０５からの生データを１フレーム分ずつ蓄積するフレームメモリである。１０７は上記フレームメモリの画素を後述のＭＰＥＧ２又はＭＰＥＧ４方式での記録ができるように、適切な画素数を調整する画素数調整回路である。１０８は各ブロック間の画像データ及び後述の音声データ行き来する画像／音声データバスである。
【００２２】
１０９は、上記画像データと共に後述のリムーバブルディスクに記録される音声を集音するマイクロフォンである。１１０は上記マイクロフォン１０９からの音声信号を適当なレベルまで増幅する増幅器である。１１１は上記増幅されたアナログ音声信号をデジタル信号に変換するＡ／Ｄコンバータである。１１２は、再生モード時には後述のＭＰＥＧ２コーデック１１４からの再生画像データ、撮影時には上記撮像素子１０３で撮像された映像を表示する液晶ディスプレイである。
【００２３】
１１３は、上記液晶ディスプレイ１１２を駆動する液晶ドライバである。１１４は、上記画像／音声データバス１０８からのデジタル画像信号を動画としてＭＰＥＧ２方式による圧縮すると共に、後述のフラッシュメモリに記録されたＭＰＥＧ２圧縮データを伸長するＭＰＥＧ２コーデックである。１１５は、後述のＮＴＳＣエンコーダからのアナログ映像信号を出力するビデオ出力端子である。１１６は、上記液晶ディスプレイ１１２で表示されるものと同一の画像をアナログ化し、上記ビデオ出力端子１１５に出力するＮＴＳＣエンコーダでる。
【００２４】
１１７は、後述のリムーバブルディスク１１８に対してデータの読み書きを行うディスクドライブである。１１８は、上記画像／音声データバス１０８からのＭＰＥＧ２画像データを記録するＤＶＤ等のリムーバブルディスクである。１１９は、後述のＵＳＢインターフェース１２０からのデータを出力するＵＳＢ端子である。１２０は、上記リムーバブルディスク１１８に記録されたＭＰＥＧ２方式の画像データをそのまま外部に出力するＵＳＢインターフェースである。１２１は、ユーザがカメラ本体に対する操作を行うための操作キーである。１２２は、カメラ全体の動作モードを制御したり、上記操作キー１２１を検出して各種機能の実行を制御するメインマイコンである。１２３はメインマイコン１２２が一時的なデータを保管するＲＡＭである。１２４は上記メインマイコン１２２の所定の状態を記憶する不揮発性メモリであるＥＥＰＲＯＭである。１２５は、上記メインマイコン１２２からの制御信号や、操作キー１２１からの信号が行き来する制御信号バスである。
【００２５】
図２は、本実施形態の据え置きビデオデッキのブロック図である。
【００２６】
図２において、２０２はアンテナ入力端子２０１から入力されたＢＳ、地上波等のＲＦ入力を選局・検波して映像信号及び音声信号を取り出し、デジタル化して後述の画像／音声データバス２０３に画像データ及び音声データを出力するＴＶチューナである。２０３は、各ブロック間の画像データ及び後述の音声データが行き来する画像／音声データバスである。２０４は、後述のビデオ入力端子２０５からのアナログＮＴＳＣ信号をデジタル化して上記画像／音声データバス２０３に画像データを出力するＮＴＳＣデコーダである。
【００２７】
２０５は、外部の映像機器のアナログ音声出力を接続するビデオ入力端子である。２０６は、後述のオーディオ入力端子２０７からのアナログ音声信号をデジタル化して上記画像／音声データバス２０３に出力するＡ／Ｄコンバータである。２０７は、上記外部の映像機器又は外部の音声機器のアナログ音声出力端子に接続されるオーディオ入力端子である。２０８は、デジタル入力端子２０９から入力されるデジタル画像信号及びデジタル音声信号を上記画像／音声データバス２０３に適合する形式に変換して出力するデジタルインターフェースである。
【００２８】
２１０は、上記画像／音声データバス２０３からのデジタル画像信号及びデジタル音声信号をＭＰＥＧ２圧縮すると共に、後述のリムーバブルディスク２１２に記録されたＭＰＥＧ２圧縮データを伸張するＭＰＥＧ２コーデックである。２１１は、上記ＭＰＥＧ２圧縮データを記録する大容量のハードディスクを内蔵し、ハードディスクに対して読み書きを行うハードディスクドライブ（ＨＤＤ）である。２１２Ａは、後述のリムーバブルディスク２１２Ｂに対してデータの読み書きを行うディスクドライブである。２１２Ｂは、上記ＭＰＥＧ２圧縮データを記録する、脱着可能なディスクであるリムーバブルディスクである。
【００２９】
２１３は、上記画像／音声データバス２０３からのデジタル画像信号をアナログ化し、ビデオ出力端子２１４に出力するＮＴＳＣエンコーダである。２１５は、上記画像／音声データバス２０３からのデジタル音声信号をアナログ化し、オーディオ出力端子２１６に出力するＤ／Ａコンバータである。２１７は、ビデオデッキ本体の操作を行うための操作キーである。２１８は、リモコン操作された場合に、その送信信号を受信するリモコンセンサである。２１９は、後述のメインマイコン２２０からの制御信号や、操作キー２１７等からの制御信号が行き来する制御信号バスである。２２０は、ビデオデッキ全体の動作モードを制御したり、上記操作キー２１７の操作を読み込んで各種機能の実行を制御するメインマイコンである。２２１は、上記メインマイコン２２０の設定や、上記メインマイコン２１０で収集された各種データを保存する、不揮発性メモリであるＥＥＰＲＯＭである。
【００３０】
以上の構成において、上記デジタルビデオカメラ側の動作を説明する。
【００３１】
図３は、本実施形態のシステムによって記録されるコンテンツを、４枚の８ｃｍＤＶＤメディアを用いて１２ｃｍＤＶＤメディア１枚に収まるように録画を行う例である。なお、図３において数字の番号は、各々コンテンツを示している。また、８ｃｍＤＶＤメディアは１枚で約１．４ギガバイト、１２ｃｍＤＶＤメディアは１枚で約４．７ギガバイトの容量を持つ。
【００３２】
デジタルビデオカメラにて１枚目の８ｃｍＤＶＤメディア３０１に撮影を開始する際、操作キー１２１によりメディアスタート操作を行う。すると、カメラ本体の上記ＲＡＭ１２３上にプレイリスト３０５の生成が開始され、撮影を終了するごとに上記プレイリストに各ディスクの番号（ＩＤ）と記録されたコンテンツが登録される。この要領で４枚目の８ｃｍＤＶＤメディア３０４のコンテンツ７まで記録してメディアエンド操作を行うと、図３に示すように、コンテンツ１からコンテンツ７が登録されたプレイリストファイル３０６が上記４枚目の８ｃｍＤＶＤメディア３０４に記録される。なお、プレイリストは、上記４枚目の８ｃｍＤＶＤメディア３０４に限らず、ＤＶＤメディア３０１乃至３０４のいずれかに記録されていれば良い。
【００３３】
図４は、上記プレイリストファイルの記述例である。
【００３４】
図４において、４０１は上記１枚目の８ｃｍＤＶＤメディア３０１のコンテンツ１を示している。４０２及び４０３は上記２枚目の８ｃｍＤＶＤメディア３０２のコンテンツ２とコンテンツ３を示している。４０４及び４０５は上記３枚目の８ｃｍＤＶＤメディア３０３のコンテンツ４とコンテンツ５を示している。４０６及び４０７は上記４枚目の８ｃｍＤＶＤメディア３０４のコンテンツ６とコンテンツ７を示している。そして、これらのコンテンツ１〜７が夫々この順番に再生されるように登録されている。
【００３５】
なお、上記プレイリスト３０６は、１２ｃｍＤＶＤメディアを想定しており、登録されているオリジナルコンテンツの容量の合計が４．７ギガバイトに収まるように作成される。また、撮影中は、カメラに装填している上記８ｃｍＤＶＤメディアの残量に加え、上記１２ｃｍＤＶＤメディアに対する残量が上記液晶ディスプレイ１１２に表示される。更に、上記メディアエンド操作をした後に未記録の８ｃｍＤＶＤメディアに入れ替えられ、録画が開始された場合、自動的にメディアスタート操作が行われる構成にしてもよい。
【００３６】
次に、上記据え置きビデオデッキの動作について説明する。
【００３７】
本実施形態の据え置きビデオデッキは、８ｃｍＤＶＤメディアの各コンテンツをハードディスク２１１に一旦格納し、ハードディスク２１１に格納したコンテンツをリムーバブルディスクドライブ２１２Ａに装填されたＤＶＤ-Ｒメディアにダビングする。ハードディスク２１１は数百ギガバイトの記録容量を持つため、複数枚分の８ｃｍＤＶＤメディアに記録されたデータを蓄積可能である。また、ＤＶＤメディアからハードディスク２１１へはＭＰＥＧ２データを伸長・再圧縮することなく、ファイル転送の形式でそのままコピーされる。そのため、短時間でダビングを完了することができ、しかもダビングに伴う画質の劣化がない。
【００３８】
図５は、本実施形態のデジタルビデオカメラによって記録された上記８ｃｍＤＶＤメディアのコンテンツを収めた１２ｃｍＤＶＤメディアを作成する手順を示す図である。
【００３９】
図５の５０１乃至５０４は、それぞれ上記１枚目の８ｃｍＤＶＤメディア３０１、上記２枚目の８ｃｍＤＶＤメディア３０２、上記３枚目の８ｃｍＤＶＤメディア３０３、上記４枚目の８ｃｍＤＶＤメディア３０４である。
【００４０】
上記構成において、ユーザが上記４枚目の８ｃｍＤＶＤメディア５０４を上記リムーバブルディスクドライブ２１２Ａに装填すると、このＤＶＤメディア５０４に記録されたコンテンツが全てハードディスク２１１にダビングされる。すると、上記ハードディスク２１１内のデータは図５の５０６の状態になる。この時、据え置きビデオデッキはハードディスク２１１内にコピーされたプレイリストファイル５０５を読み出し、登録されているコンテンツが全てハードディスク２１１の中に揃っているかをチェックする。図５の５０６ではまだ全てのコンテンツが全て揃っていない。この場合には、図６に示すように、足りないコンテンツが収録された１枚目乃至３枚目のメディア５０１乃至５０３をリムーバブルディスクドライブ２１２Ａに装填するよう促すメッセージをビデオデッキに接続された表示装置に表示する。
【００４１】
ユーザが指示通りに上記８ｃｍＤＶＤメディアを入れ替えるとダビングが再開される。このような手順で上記ハードディスク２１１内に上記コンテンツが全て揃った状態を図５の５０７に示す。再び据え置きビデオデッキはハードディスク２１１内にコピーされたプレイリストファイル５０５を読み出し、登録されているコンテンツが全てハードディスク２１１の中に揃っているかをチェックする。そして、全て揃っていることが確認されると、図７に示すように、未記録のＤＶＤ−Ｒメディアを上記リムーバブルディスクドライブ２１２Ａに装填するよう促すメッセージを表示する。
【００４２】
ユーザが指示通りに未記録のＤＶＤ−Ｒメディアを上記リムーバブルディスクドライブ２１２Ａに装填すると、ハードディスク２１１に格納された図５のコンテンツ１〜７のデータを順次読み出して、装填されたＤＶＤ−Ｒディスクに記録する。その結果、図５の５０８に示すように、プレイリストに記述された内容のコンテンツが記録されたＤＶＤ−Ｒディスクが作成される。
【００４３】
なお、本実施形態では、１２ｃｍＤＶＤメディアへの記録を想定して、各８ｃｍＤＶＤメディアに記録されたオリジナルコンテンツの容量の合計が４．７ギガバイトに収まるようにプレイリストを作成し、残容量の表示を行っている。
【００４４】
しかしながら、上記１２ｃｍＤＶＤメディア以外に、１２ｃｍ２層ＤＶＤメディアの８．５ギガバイト、１２ｃｍブルーレイディスクの２５ギガバイト、１２ｃｍ２層ブルーレイディスクの５０ギガバイトへの記録を想定した構成としても良い。
【００４５】
また、本実施形態では、１枚の１２ｃｍＤＶＤメディアに記録するコンテンツを８ｃｍＤＶＤメディアに記録しているが、これに限らずメモリカード等の他のメディアに記録されたコンテンツでも良い。
【００４６】
上記実施形態によれば、デジタルビデオカメラ等の撮影機器側では複数の小容量の記録媒体に記録された複数のコンテンツを１つのグループとしてプレイリストを作成する。また、据え置きビデオデッキ側では、上記プレイリストが作成されたグループの全てのコンテンツが揃ったかどうか判別すると共に、不足しているデータがあるときには該当する記録媒体への交換を促すメッセージを表示する。
【００４７】
これにより、コンテンツの抜けや編集等の手間を必要とせずに簡単な操作にて大容量の記録媒体に保存することができる。
【００４８】
［他の実施形態］
以上、本発明に係る実施形態について具体例を用いて詳述したが、本発明は、例えば、システム、装置、方法、プログラム若しくは記憶媒体（記録媒体）等としての実施態様をとることが可能である。具体的には、複数の機器から構成されるシステムに適用しても良いし、また、１つの機器からなる装置に適用しても良い。
【００４９】
また、本発明の目的は、図示の機能ブロック及び動作において、いずれの部分をハードウェア回路により実現し、或いはコンピュータを用いたソフトウェア処理によって実現しても達成されることは言うまでもない。
【００５０】
尚、本発明は、前述した実施形態の機能を実現するソフトウェアのプログラムを、システムあるいは装置に直接あるいは遠隔から供給することによって達成される場合も含む。その場合、システム等のコンピュータが該プログラムコードを読み出して実行することになる。
【００５１】
従って、本発明の機能処理をコンピュータで実現するために、該コンピュータにインストールされるプログラムコード自体も本発明を実現するものである。つまり、本発明は、本発明の機能処理を実現するためのコンピュータプログラム自体も含まれる。
【００５２】
その場合、プログラムの機能を有していれば、オブジェクトコード、インタプリタにより実行されるプログラム、OSに供給するスクリプトデータ等の形態であっても良い。
【００５３】
プログラムを供給するための記録媒体（記憶媒体）としては、例えば、フレキシブルディスク、ハードディスク、光ディスク、光磁気ディスク等がある。その他にも、MO、CD-ROM、CD-R、CD-RW、磁気テープ、不揮発性のメモリカード、ROM、DVD(DVD-ROM、DVD-R)等がある。
【００５４】
その他、プログラムの供給方法としては、クライアントコンピュータのブラウザを用いてインターネットのホームページに接続し、該ホームページから本発明のコンピュータプログラムそのものをダウンロードすることもできる。また圧縮され自動インストール機能を含むファイルをハードディスク等の記録媒体にダウンロードすることによっても供給できる。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるWWWサーバも、本発明に含まれるものである。
【００５５】
また、本発明のプログラムを暗号化してCD-ROM等の記憶媒体に格納してユーザに配布し、所定の条件をクリアしたユーザが、インターネットを介してホームページから暗号化を解く鍵情報をダウンロードすることもできる。この場合、ダウンロードした鍵情報を使用することにより暗号化されたプログラムを実行してコンピュータにインストールさせて実現する。
【００５６】
また、コンピュータが、読み出したプログラムを実行することによって、前述した実施形態の機能が実現される他、そのプログラムの指示に基づき、コンピュータ上で稼動しているOS等が、実際の処理の一部又は全部を行うことによっても実現され得る。
【００５７】
更に、記録媒体から読み出されたプログラムが、コンピュータに挿入された機能拡張ボードやコンピュータに接続された機能拡張ユニットのメモリに書き込まれた後、該ボード等のCPU等が実際の処理の一部又は全部を行うことによっても実現される。
【図面の簡単な説明】
【００５８】
【図１】本発明に係る実施形態のデジタルビデオカメラのブロック図である。
【図２】本発明に係る実施形態の据え置きビデオデッキのブロック図である。
【図３】本実施形態のデジタルビデオカメラの動作及びメディアの記録を例示する図である。
【図４】本実施形態のプレイリストファイルの記述例を示す図である。
【図５】本実施形態の据え置きビデオデッキの動作及びメディアの記録を例示する図である。
【図６】本実施形態の据え置きビデオデッキで表示されるメッセージを例示する図である。
【図７】本実施形態の据え置きビデオデッキで表示されるメッセージを例示する図である。
【符号の説明】
【００５９】
１０１  撮影レンズ
１０２  絞り
１０３  撮像素子
１０４  ＣＤＳ／ＡＧＣ
１０５  デジタル信号処理回路
１０６  フレームメモリ
１０７  画素数調整回路
１０８  画像／音声データバス
１０９  マイクロフォン
１１０  増幅器
１１１  Ａ／Ｄコンバータ
１１２  液晶ディスプレイ
１１３  液晶ドライバ
１１４  ＭＰＥＧ２コーデック
１１５  ビデオ出力端子
１１６  ＮＴＳＣエンコーダ
１１７  ディスクドライブ
１１８  リムーバブルディスク
１１９  ＵＳＢ端子
１２０  ＵＳＢインターフェース
１２１  操作キー
１２２  メインマイコン
１２３  ＲＡＭ
１２４  不揮発性メモリ
１２５  制御信号バス
２０１  アンテナ入力端子
２０２  ＴＶチューナ
２０３  画像／音声データバス
２０４  ＮＴＳＣデコーダ
２０５  ビデオ入力端子
２０６  Ａ／Ｄコンバータ
２０７  オーディオ入力端子
２０８  デジタルインターフェース
２０９  デジタル入力端子
２１０  ＭＰＥＧ２コーデック
２１１  ハードディスクドライブ
２１２Ａ  ディスクドライブ
２１２Ｂ  リムーバブルディスク
２１３  ＮＴＳＣエンコーダ
２１４  ビデオ出力端子
２１５  Ｄ／Ａコンバータ
２１６  オーディオ出力端子
２１７  操作キー
２１８  リモコンセンサ
２１９  制御信号バス
２２０  メインマイコン
２２１  不揮発性メモリ
【図１】
2007157256.tif 000003
【図２】
2007157256.tif 000004
【図３】
2007157256.tif 000005
【図４】
2007157256.tif 000006
【図５】
2007157256.tif 000007
【図６】
2007157256.tif 000008
【図７】
2007157256.tif 000009